(57)【要約】【課題】光ディスクがトレイから滑り出すのを抑制することができ、かつ、外観を高い水準で維持することができる光ディスク装置を提供する。【解決手段】光ディスク装置は、ベゼルとこのベゼルから伸びて光ディスクをセットするトレイ本体とを備えるトレイと、トレイを収容する開口を備える筐体と、トレイを第１の方向に摺動させて、トレイ本体を開口から筐体内に引き入れるスライド機構と、を有している。トレイ本体には、光ディスクがセットされる側の面から外に出る第２の方向に伸びた突部と、この突部と繋がっており、突部の第２の方向での位置を変位させる弾性片と、を有している。【選択図】図３
2016009516.tif 000002
【特許請求の範囲】
【請求項１】
ベゼルと前記ベゼルから伸びて光ディスクがセットされるトレイ本体とを備えるトレイと、
前記トレイ本体が通過する開口を備える筐体と、
前記トレイを第１の方向に摺動させて、前記トレイ本体を前記開口から前記筐体内に引き入れるスライド機構と、を有し、
前記トレイには、
前記トレイ本体の前記光ディスクがセットされる側の面から外に出る第２の方向に伸びた突部と、
前記突部と繋がっており、前記突部の前記第２の方向での位置を変位させる弾性片と、を有することを特徴とする光ディスク装置。
【請求項２】
前記ベゼルと前記トレイ本体とは一体で形成されており、
前記開口の奥側の大きさは、前記ベゼルの大きさに比べて小さい、ことを特徴とする請求項１に記載の光ディスク装置。
【請求項３】
前記突部は、前記第１の方向において、前記ベゼルと反対側の面が傾斜している、ことを特徴とする請求項１または請求項２のいずれかに記載の光ディスク装置。
【請求項４】
前記弾性片は、前記トレイ本体と前記突部とを繋ぐ片持ち片により構成されている、ことを特徴とする請求項１から請求項３のいずれか一項に記載の光ディスク装置。
【請求項５】
前記弾性片は、前記トレイ本体の一部の厚みが薄くなった薄肉部により構成されている、ことを特徴とする請求項１から請求項３のいずれか一項に記載の光ディスク装置。
【請求項６】
前記突部と前記弾性片とは、前記トレイの両端にそれぞれ形成されており、
前記突部間の距離は、前記トレイ本体にセットされる最も小さい光ディスクのサイズに応じて規定されている、ことを特徴とする請求項１から請求項５のいずれか一項に記載の光ディスク装置。
【発明の詳細な説明】
【技術分野】
【０００１】
本発明は、光ディスクをセットするトレイを備える光ディスク装置に関する。
【背景技術】
【０００２】
ＤＶＤ、ＢＤ（登録商標）といった光ディスクをセットするトレイを備える光ディスク装置が知られている。トレイには、化粧面であるベゼルとベゼルから伸びて光ディスクがセットされるトレイ本体とを有している。
【０００３】
トレイを摺動させて光ディスク装置の筐体内に引き入れたり、引き出したりする際、光ディスクがトレイ本体から滑り出す可能性も生じる。そのため、特許文献１には、トレイ本体の光ディスクがセットされる側の面から外側に伸びる突部を形成し、光ディスクの脱落を防止するものが開示されている。
【先行技術文献】
【特許文献】
【０００４】
【特許文献１】特開２００２−０９３０１４号公報
【発明の概要】
【発明が解決しようとする課題】
【０００５】
トレイ本体から伸びる突部を高くすることで、滑り出した光ディスクの脱落を抑制する効果を高めることができる。ここで、トレイの先端を開口から挿入して、トレイを筐体に取り付ける場合がある。このような場合、トレイ本体は筐体の開口を摺動するため、突部の高さに伴って筐体の開口の開口サイズを大きくする必要が生じる。開口サイズを大きくすると、トレイが筐体から引き出された際の外観が悪くなる。
【０００６】
本発明は、上記課題にかんがみてなされたもので、光ディスクがトレイから滑り出すのを抑制することができ、かつ、外観を高い水準で維持することができる光ディスク装置の提供を目的とする。
【課題を解決するための手段】
【０００７】
上記課題を解決するために、本発明の一態様では、光ディスク装置は、ベゼルとこのベゼルから伸びて光ディスクをセットするトレイ本体とを備えるトレイと、トレイを収容する開口を備える筐体と、トレイを第１の方向に摺動させて、トレイ本体を開口から筐体内に引き入れるスライド機構と、を有している。トレイ本体には、光ディスクがセットされる側の面から外に出る第２の方向に伸びた突部と、この突部と繋がっており、突部の第２の方向での位置を変位させる弾性片と、を有している。
【０００８】
突部の形状は、トレイ本体から第２の方向に伸びるものであれば、ボスやリブ等どのようなものであってもよい。
弾性片の形状は、この弾性片と繋がる突部の第２の方向での位置を変位させるものであればどのようなものであってもよく、片持ち片や、薄肉部といった形状であってもよい。
【０００９】
上記のように構成された発明では、トレイ本体の突部は、弾性片により第２の方向での位置を変位させることができるため、トレイ本体を開口に挿入して組み付ける際、突部が開口の周囲と干渉しても弾性片により押し下げされ、トレイ本体を筐体内に挿入することができる。そのため、開口サイズを大きくしなくとも、トレイ本体の突部の高さを維持することができ、光ディスク装置の外観の悪化を抑制することができる。
【図面の簡単な説明】
【００１０】
【図１】一例としての光ディスク装置の外観図。
【図２】一例としてのメディアドライブ３０の分解図。
【図３】トレイ５０の構成を説明する図。
【図４】光ディスク装置１００の組み立て方法を説明する図。
【図５】第２の実施形態にかかるトレイ５０を示す上面図。
【図６】第３の実施形態にかかる滑り込み防止用ボス１０の形状を示す図。
【発明を実施するための形態】
【００１１】
以下、下記の順序に従って本発明の実施形態を説明する。
１．第１の実施形態：
（１）光ディスク装置の構成
（２）光ディスク装置の組み立て方法
２．第２の実施形態：
３．第３の実施形態：
４．その他の実施形態：
【００１２】
１．第１の実施形態：
（１）光ディスク装置の構成
図１は、一例としての光ディスク装置の外観図である。
図１に示す光ディスク装置１００は、筐体２０と、この筐体２０の内部に収容されているメディアドライブ３０と、図示しない基板と、を備える。また、光ディスク装置１００は、筐体２０の前面から光ディスク（不図示）を載せるトレイ５０を引出し可能に保持されており、このトレイ５０に光ディスクを載せ、トレイ５０を筐体２０内部に引き入れることで、光ディスクに記録された情報の読み出し、または光ディスクに対して情報の書き込みを行う。また、読み取った情報は図示しないケーブルを通じて出力する。
【００１３】
光ディスク装置１００は、プレーヤー、レコーダー、ＰＣ等、光ディスクに対して情報を再生、または記録する装置であればどのようなものであってもよい。また、光ディスクは、ＣＤ（Compact Disc Drive）、ＤＶＤ（Digital Versatile Disk）、ブルーレイディスク（ブルーレイは登録商標）等を対象としている。
【００１４】
また、以下の説明では、トレイ５０がスライドする方向をＹ方向（第１の方向）として、光ディスク装置１００の幅方向をＸ方向、光ディスク装置１００の高さ方向をＺ方向（第２の方向）と記載する。また、Ｙ方向において、トレイ５０が引き出される側を『前方』または『Ｙ１側』、トレイ５０が引き入れられる側を『後方』または『Ｙ２側』とも記載する。そして、光ディスク装置１００を前方側（Ｙ１側）から見た場合に、Ｘ方向の左側を『Ｘ１側』、右側を『Ｘ２側』とも記載する。さらに、Ｚ方向の上方を『Ｚ１側』、下方を『Ｚ２側』とも記載する。
そして、トレイ５０が筐体２０から引き出された位置を第１の位置、トレイ５０が筐体２０の内部に引き入れられた位置を第２の位置、とも記載する。
【００１５】
筐体２０は、ハードウェアを搭載するボトムシャーシ２１と、ボトムシャーシ２１の前方（Ｘ１側）に取り付けられるフロントカバー２２と、本体シャーシの上方（Ｚ１側）に取り付けられるトップカバー２３と、で構成されている。
【００１６】
ボトムシャーシ２１は、Ｘ１側にメディアドライブ３０が配置する領域と、Ｘ２側に図示しない基板を配置する領域とを備える薄板形状である。
ボトムシャーシ２１の上方（Ｚ１側）にはトップカバー２３が取り付けられている。トップカバー２３は、天井面とこの天井面の両端から下に伸びた側面とを備えている。
ボトムシャーシ２１の前方（Ｙ１側）には、フロントカバー２２が固定されている。フロントカバー２２は、前面部２２１と、前面部の後方（Ｙ２側）から伸びた胴部２２２とを有する。また、前面部２２１には、液晶型の表示部２２３や、トレイ５０を収容する開口部２２４が形成されている。
【００１７】
開口部２２４は、フロントカバー２２の前面部２２１をＹ方向に貫通している。また、開口部２２４は、前方（Ｙ１側）の開口サイズが後方（Ｙ２側）の開口サイズに比べて大きくなっている。図１では、開口部２２４の前方（Ｙ１側）はトレイ５０のベゼル（後述）のサイズと比べて同じ大きさとなっている。そして、開口部２２４の奥まった位置には上方（Ｚ１側）から下に伸びた突き当り片２２５が形成されている。そのため、トレイ５０が開口部２２４に引き入れられると、トレイ５０のベゼルの裏面が突き当り片２２５と当接する。
【００１８】
この第１の実施形態では、ボトムシャーシ２１やトップカバー２３は、板金により構成されている。また、フロントカバー２２は、樹脂により構成されている。無論、筐体を構成する各部の構成はこれに限定されない。
【００１９】
図２は、一例としてのメディアドライブ３０の分解図である。まずは、メディアドライブ３０の主要な構成について説明する。図２に示すように、メディアドライブ３０は、シャーシ４０、トレイ５０、トラバースアッシー６０、クランパー７０、スライド機構８０、を有する。
【００２０】
シャーシ４０は、上部（Ｚ１側）の一部が開口する箱型形状であって、トラバースアッシー６０を収容する収容空間を備える。シャーシ４０は、底面部４１と、この底面部４１の縁から上方（Ｚ方向）に伸びた側面部４２、４３と、光ディスクを挟み込むクランパー７０を保持するクランパー保持部４４と、を備える。
この第１の実施形態では、シャーシ４０は、樹脂を用いて成形することで、底面部４１、側面部４２、４３、クランパー保持部４４と、が一体で形成されている。また、底面部４１の後部（Ｙ２側）には、トラバースアッシー６０と嵌合する嵌合ピンが形成されている。
【００２１】
シャーシ４０には、トラバースアッシー６０がＺ方向に昇降可能に保持されている。トラバースアッシー６０は、光ピックアップが、主軸、副軸により、トラバースシャーシに対してＹ方向にスライド可能に保持されている。光ピックアップは、光学式のピックアップヘッドであり、半導体レーザー、光学部品、さらには、反射光の光量をもとにデジタル情報を生成する制御基板、を備えている。光ピックアップの主軸で保持される側には、ティースが接続されている。ティースは、スクリューモーターの回転軸と噛み合っており、スクリューモーターの回転に伴って、光ピックアップをトラッキング方向（Ｙ方向）に移動させる。トラバースシャーシには、スピンドルモーターを介して光ディスクを回転させるターンテーブル６８が取り付けられている。
【００２２】
シャーシ４０の前方（Ｙ１側）には、スライド機構８０を介してトレイ５０がＹ方向にスライド可能に取り付けられている。スライド機構８０は、プーリー、ベルト、ギアにより構成され、図示しないモーターの回転により駆動する。また、シャーシ４０の前方には、スライド機構８０の駆動に応じてトラバースアッシー６０を昇降（Ｚ方向にスライド）させる昇降部９０が取り付けられている。
【００２３】
次に、本発明にかかるトレイ５０の詳細な構成について説明する。
図３は、トレイ５０の形状を説明する図である。図３（ａ）は、トレイ５０を上側（Ｚ方向）から見た上面図である。図３（ｂ）は、トレイ５０をＸ方向から見たときの一部断面図である。
【００２４】
図３に示すトレイ５０は、ベゼル５１と、このベゼル５１から伸びて光ディスクを載せるトレイ本体５２と、を有する。ベゼル５１は幅方向（Ｘ方向）の長さがトレイ本体５２と比べて長い矩形状である。トレイ本体５２は、ベゼル５１の裏面（Ｙ２側の面）から伸びた薄板形状であり、上方（Ｚ１側）の面（セット面５２ａ）には、光ディスクがセットされるセット溝５２ｂが形成されている。この第１の実施形態では、トレイ５０はベゼル５１とトレイ本体５２が一体で形成されている。
【００２５】
トレイ本体５２のセット面５２ａ側には、セット溝５２ｂにセットされた光ディスクが滑り込む（脱落する）のを防止するための滑り込み防止用ボス１０が形成されている。図３（ａ）では、滑り込み防止用ボス１０は、トレイ本体５２の幅方向（Ｘ方向）の両端部にそれぞれ形成されている。より具体的には、滑り込み防止用ボス１０は、セット溝５２ｂの後方（Ｙ２側）にそれぞれ形成されている。この滑り込み用ボス１０には、セット面５２ａから外側（Ｚ１側）に伸びた突部１１と、この突部１１と繋がっており、突部１１のＺ方向での位置を変位させる弾性片１２と、を有している。
【００２６】
図３に示す滑り込み防止用ボス１０は、トレイ本体５２の一部に形成された矩形状の開口５３内に形成されている。突部１１は断面が円筒形状となっている。また図３（ｂ）に示すように、弾性片１２と繋がる後端側（Ｙ２側）の登頂部１１ａが傾斜している。
弾性片１２は、トレイ５０のスライド方向（Ｙ方向）に伸びた矩形状の片により形成され、突部１１とトレイ本体５２の開口５３の内壁とを繋いでいる。
【００２７】
一例として、滑り込み防止用ボス１０と滑り込み防止用ボス１０との間の距離（Ｘ方向での距離）Ｌは、８ｃｍである。突部１１、１１間の距離Ｌは、セット溝５２ｂにセットできる最も小さい光ディスクをもとに設定されている。すなわち、セット溝５２ｂにセットされる最も小さい光ディスクに対しても滑り込みを防止することができる。
滑り込み防止用ボス１０は、例えば、トレイ５０の成形時に一体で形成されるが、トレイ５０を成形した後、抜き加工により形成するものであってもよい。
【００２８】
トレイ本体５２の裏面にはスライド機構８０のギアと噛み合う図示しないラックと、Ｙ方向に伸びた図示しないスライド溝が形成されている。スライド溝は、シャーシ４０に形成された図示しないレール部に下側（Ｚ２側）からスライド可能に保持される。そのため、スライド機構８０のギアが回転することで、ラックによりＹ方向の力がトレイ本体５２に伝わり、トレイ５０をＹ方向にスライドさせる。
【００２９】
（２）光ディスク装置の組み立て方法
図４は、光ディスク装置１００の組み立て方法を説明する図である。図４では、光ディスク装置１００の前方（Ｙ１側）のＹ方向の面で切った断面図を図示している。
【００３０】
まず、ボトムシャーシ２１に、メディアドライブ３０、図示しない基板をそれぞれ固定する。次に、ボトムシャーシ２１の前方（Ｙ１側）にフロントカバー２２を固定し、上方（Ｙ１側）にトップカバー２３をそれぞれ固定する。
【００３１】
次に、図４（ａ）に示すように、トレイ５０を後端側（Ｙ２側）からトップカバー２３の開口部２２４に挿入する。このとき、トレイ本体５２の裏面に形成されているスライド溝に、シャーシ４０のレールを挿入する。
次に、トレイ５０の開口部２２４への挿入を継続すると、滑り込み防止用ボス１０の突部１１の登頂部１１ａがトップカバー２３の開口部２２４の内側上部と干渉する。この状態で、トレイ５０の開口部２２４への挿入を継続すると、図４（ｂ）に示すように、突部１１に加わる力により突部１１が弾性片１２を下方（Ｚ２側）に押し下げる。特に、突部１１の開口部２２４の縁部と接する側の登頂部１１ａの面が傾斜しているため、突部１１を開口部２２４の内側に押し下げ易くする。
そして、トレイ５０の開口部２２４への挿入を継続することで、トレイ５０の滑り込み防止用ボス１０が形成されている部位が開口部２２４を通過する。
【００３２】
そして、トレイ５０の開口部２２４への挿入を継続すると、トップカバー２３のラックがスライド機構８０のギアに噛み合い、トレイ５０をスライド機構８０にスライド可能に固定させる。
【００３３】
以上説明したように、この第１の実施形態では、トレイ本体５２の滑り込み防止用ボス１０（突部）は、弾性片により第２の方向での位置を変位させることができるため、トレイ本体５２を開口部２２４に挿入して組み付ける際、突部１１が開口部２２４の周囲と干渉しても弾性片１２により押し下げされ、トレイ本体５２を筐体２０内に挿入することができる。
【００３４】
ベゼル５１とトレイ本体５２とは一体で形成されており、開口部２２４の奥側の大きさは、ベゼル５１の大きさに比べて小さくなっているため、開口部２２４にベゼルを収容することができ、光ディスク装置１００の外観を高めることができる。
【００３５】
突部１１は、第１の方向において、ベゼル５１と反対側の面が傾斜しているため、突部１１が開口部２２４の上部により押し下げられ易くなり、突部１１を第２の方向に変位させ易くすることができる。
【００３６】
弾性片１２は、トレイ本体５２と突部１１とを繋ぐ片持ち片により構成されているため、本発明を作りやすい構成で実現することができる。
【００３７】
突部１１と弾性片１２とは、トレイ５０の両端にそれぞれ形成されており、突部１１間の距離は、トレイ本体５２にセットされる最も小さい光ディスクのサイズに応じて規定されているため、トレイ本体５２にどのような光ディスクがセットされていても、光ディスクの滑り出しを抑制することができる。
【００３８】
２．第２の実施形態：
図５は、第２の実施形態にかかるトレイ５０を示す上面図である。この第２の実施形態では、滑り込み防止用ボス１０の弾性片１２１がトレイ５０のスライド方向（Ｙ方向）と交差する向きに伸びている構成が第１の実施形態と異なる。
【００３９】
この第２の実施形態においても、図５に示すように、トレイ５０は、ベゼル５１と、このベゼル５１から伸びて光ディスクを載せるトレイ本体５２と、を有している。また、トレイ本体５２のセット面５２ａには、セット溝５２ｂにセットされた光ディスクが滑り込む（脱落する）のを防止するための滑り込み防止用ボス１０が形成されている。
滑り込み防止用ボス１０は、第１の実施形態と同様、セット面５２ａから外側（Ｚ１側）に伸びた突部１１と、この突部１１と繋がっており、突部１１のＺ方向での位置を変位させる弾性片１２１と、を有している。
【００４０】
図５に示す滑り込み防止用ボス１０では、弾性片１２１は、トレイ５０のスライド方向（Ｙ方向）と交差する方向（Ｘ方向）に伸びた矩形状の片により形成され、突部１１とトレイ本体５２の開口５３の内壁とを繋いでいる。
【００４１】
滑り込み防止用ボス１０の弾性片１２１がトレイ５０のスライド方向と交差する方向に伸びる場合でも、第１の実施形態と同様の効果を奏することができる。
【００４２】
３．第３の実施形態：
滑り込み防止用ボス１０の弾性片は、片持ち片状のものに限定されない。
図６は、第３の実施形態にかかる滑り込み防止用ボス１０の形状を示す図である。
【００４３】
この第３の実施形態においても、図６に示すように、トレイ５０は、ベゼル５１と、このベゼル５１から伸びて光ディスクを載せるトレイ本体５２と、を有している。また、トレイ本体５２のセット面５２ａには、セット溝５２ｂにセットされた光ディスクが滑り込む（脱落する）のを防止するための滑り込み防止用ボス１０が形成されている。
【００４４】
図６に示す滑り込み防止用ボス１０は、セット面５２ａから外側（Ｚ１側）に伸びた突部１１と、この突部１１と繋がっており、突部１１のＺ方向での位置を変位させる弾性片１２２と、を有している。
この第３の実施形態にかかる滑り込み防止用ボス１０では、弾性片１２２は、突部１１の外周と開口５４とを繋ぐ薄肉部により形成されている。図６では、突部１１の外周と開口５４とを繋ぐ２つの薄肉部により弾性片１２２が形成されている。無論、弾性片１２２の数は２つに限定されず、２つ以上であってもよい。
【００４５】
上記構成の滑り込み防止用ボス１０では、トレイ５０の後端側（Ｙ２側）を開口部２２４に挿入して、両者を組み付ける際、滑り込み防止用ボス１０の突部１１の登頂部１１ａがトップカバー２３の開口部２２４の内側上部と干渉する。この状態で、トレイ５０の開口部２２４への挿入を継続すると、突部１１に加わる力により突部１１が弾性片（薄肉部）１２２を下方（Ｚ２側）に押し下げ、トレイ５０の滑り込み防止用ボス１０が形成されている部位が開口部２２４を通過する。
【００４６】
以上説明したようにこの第３の実施形態では、弾性片１２２は、トレイ本体５２の一部の厚みが薄くなった薄肉部により構成されているため、本発明を作りやすい構成で実現することができる。
【００４７】
４．その他の実施形態：
滑り込み防止用リブの突部の形状は円筒形のものに限定されず、リブ等の板状のものであってもよい。
弾性片の形状も上記したものに限定されず、板状片と薄肉片とが組み合わさったものであってもよい。
光ディスク装置１００におけるトレイ５０の引き出し方向は、Ｙ方向に限定されず、トレイ５０をＺ方向に引き出すものであってもよい。
【００４８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４９】
１０…滑り込み防止用ボス、１１…突部、１１ａ…登頂部、１２…弾性片、２０…筐体、２１…ボトムシャーシ、２２…フロントカバー、２３…トップカバー、３０…メディアドライブ、４０…シャーシ、５０…トレイ、５１…ベゼル、５２…トレイ本体、５２ａ…セット面、５２ｂ…セット溝、６０…トラバースアッシー、６８…ターンテーブル、７０…クランパー、８０…スライド機構、９０…昇降部、１００…光ディスク装置、２２４…開口部
【図１】
2016009516.tif 000003
【図２】
2016009516.tif 000004
【図３】
2016009516.tif 000005
【図４】
2016009516.tif 000006
【図５】
2016009516.tif 000007
【図６】
2016009516.tif 000008